(57)【要約】【課題】本発明の課題の一つは、小型・軽量・安価・簡便で、省エネでエコ適性もあって高耐久性に優れる電子掲示装置及びその実現を容易にする電子掲示装置を提供するにある。【解決手段】その解決手段の一つは、熱を加えると発色し、降温スピードの差に応じて該発色を維持・消色可能なリライタブル媒体に情報を電子掲示する電子掲示装置において、発熱抵抗体と、該発熱抵抗体に熱良伝導性体を介して一体的に接合されている熱電変換体とを有し、該熱電変換体は、発熱機能と能動性冷却機能を備えている発色・消色兼用ヘッドと、該ヘッドを制御する制御部とを備える電子掲示装置にある。【選択図】図１
2015009516.tif 000002
【特許請求の範囲】
【請求項１】
熱を加えると発色し、降温スピードの差に応じて該発色を維持・消色可能なリライタブル媒体に、発熱抵抗体と、該発熱抵抗体に熱良伝導性体を介して一体的に接合されている熱電変換体とを有する発色・消色兼用ヘッドの前記発熱抵抗体による発熱をＯＮ−ＯＦＦして発色維持状態とし、該発色維持状態を、前記発熱抵抗体による発熱のＯＮ−ＯＦＦと前記熱電変換体による発熱のＯＮ−ＯＦＦにより降温スピードを前記発色維持状態形成時の降温スピードより緩和させることで消色状態とする様に、前記発色・消色用ヘッドを制御する第一モードと、前記発熱抵抗体による発熱のＯＮ−ＯＦＦと前記熱電変換体による吸熱のＯＮ−ＯＦＦにより発色維持状態とし、該発色維持状態を、前記発熱抵抗体による発熱のＯＮ−ＯＦＦにより降温スピードを前記発色維持状態形成時の降温スピードより緩和させることで消色状態とする様に、前記発色・消色用ヘッドを制御する第二モードと、を有することを特徴とする電子掲示装置の制御方法。
【請求項２】
熱を加えると発色し、降温スピードの差に応じて該発色を維持・消色可能なリライタブル媒体に情報を電子掲示する電子掲示装置において、発熱抵抗体と、該発熱抵抗体に熱良伝導性体を介して一体的に接合されている熱電変換体とを有し、該熱電変換体は、発熱機能と能動性冷却機能を備えている発色・消色兼用ヘッドを搭載するヘッド設置部と該ヘッドを制御する制御部を備えたことを特徴とする電子掲示装置。
【請求項３】
熱を加えると発色し、降温スピードの差に応じて該発色を維持・消色可能なリライタブル媒体に情報を電子掲示する電子掲示装置において、発熱抵抗体と、該発熱抵抗体に熱良伝導性体を介して一体的に接合されている熱電変換体とを有し、該熱電変換体は、発熱機能と能動性冷却機能を備えている発色・消色兼用ヘッドと、該ヘッドを制御する制御部とを備えたことを特徴とする電子掲示装置。
【発明の詳細な説明】
【技術分野】
【０００１】
本発明は、結婚式場やホテル等での案内用の情報を掲示する電子掲示装置及びその制御方法に関するものである。
【背景技術】
【０００２】
掲示する媒体を備えた電子掲示装置としては、液晶や有機ＥＬなどを使用したフラットデスプレー装置や電子写真方式の電子掲示板、電気泳動方式の電子表示装置などがあるが、これらはいずれも、高価である、両面掲示だと大型化・重量化に成り易い、掲示中に電力を必要とし省エネ向きとは言えない、などの課題がある。
【０００３】
その為に、白黒（Ｗ／Ｂ）表示で十分であり、小型・軽量・安価・簡便で、省エネでエコ適性もあって高耐久性が求められる、結婚式場やホテル等での案内用の情報を掲示する電子掲示装置には不向きである。
【０００４】
一方、熱によって発色・消色し、繰り返し使用が可能なリライタブルシートを使用するプリンターが知られている。
【０００５】
このプリンターは、電子写真方式のレーザービームプリンタ（ＬＢＰ）やインクジェットプリンタ（ＩＪＰ）等が、印字シートとして普通紙を使用し、印字済シートは、不要になったら廃棄しなければならず経済的でないのに対して、リライタブルシートは繰り返し使用できる（再使用回数は１０００回程度）ので、経済性に優れている。
【０００６】
然も、このシートを使用するプリンターは、小型・軽量・安価・簡便で、省エネでエコ適性もあって高耐久性に優れている。
【０００７】
この種のプリンターは、リライタブルシートに情報を書き込む（或いは印字する）場合と、書き込んだ情報を消去する場合とでは、リライタブルシートに付与する熱エネルギーの量と温度コントロールルールが違うので、書き込み部（印字部）と消去部とが別々であり、リライタブルシートの搬送方向に沿って隔絶配置されている。
【０００８】
特に、消去部には、消去の際に比較的低温でより長い時間熱を付与する必要から、例えば、一対の熱ローラーが設けられてある（特許文献１）。
【０００９】
リライタブルシートはこの一対の熱ローラー間に挟持されて搬送される。
【００１０】
この熱ローラーの表面は、リライタブルシートと熱ローラーとの接触時間を長くして所定の熱量を付与するために、所定厚みの弾性材料で片方の金属ローラーが覆われており、一対の熱ローラーを圧接させることで、弾性材料の表面被覆層をもう一方のローラーの周面に沿って歪ませ、リライタブルシートがローラー間を通る際に面接触するようにして所定の熱量をリライタブルシートに付与する。
【先行技術文献】
【特許文献】
【００１１】
【特許文献１】特開２００４−１４２１１１号公報
【発明の概要】
【発明が解決しようとする課題】
【００１２】
このため、この種のプリンターでは、より一層の小型・軽量化を図る制約になっている。
【００１３】
本発明は、このプリンターの原理を電子掲示板用として最適化を図るべく鋭意検討・研究した結果に基づいて創作されたものである。
【００１４】
本発明の一つの目的は、小型・軽量・安価・簡便で、省エネでエコ適性もあって高耐久性に優れる電子掲示装置及びその実現を容易にする電子掲示装置の制御方法を提供することである。
【００１５】
本発明のもう一つの目的は、簡単な操作によって、高速から低速までの印字スピードが実現可能な電子掲示装置及びその装置を容易に実現できる電子掲示装置の制御方法を提供することである。
【課題を解決するための手段】
【００１６】
本発明の一つの側面は、熱を加えると発色し、降温スピードの差に応じて該発色を維持・消色可能なリライタブル媒体に、発熱抵抗体と、該発熱抵抗体に熱良導性体を介して一体的に接合されている熱電変換体とを有する発色・消色兼用ヘッドの前記発熱抵抗体による発熱をＯＮ−ＯＦＦして発色維持状態とし、該発色維持状態を、前記発熱抵抗体による発熱のＯＮ−ＯＦＦと前記熱電変換体による発熱のＯＮ−ＯＦＦにより降温スピードを前記発色維持状態形成時の降温スピードより緩和させることで消色状態とする様に、前記発色・消色用ヘッドを制御する第一モードと、前記発熱抵抗体による発熱のＯＮ−ＯＦＦと前記熱電変換体による吸熱のＯＮ−ＯＦＦにより発色維持状態とし、該発色維持状態を、前記発熱抵抗体による発熱のＯＮ−ＯＦＦにより降温スピードを前記発色維持状態形成時の降温スピードより緩和させることで消色状態とする様に、前記発色・消色用ヘッドを制御する第二モードと、を有することを特徴とする電子掲示装置の制御方法にある。
【００１７】
本発明のもう一つの側面は、熱を加えると発色し、降温スピードの差に応じて該発色を維持・消色可能なリライタブル媒体に情報を電子掲示する電子掲示装置において、発熱抵抗体と、該発熱抵抗体に熱良導性体を介して一体的に接合されている熱電変換体とを有し、該熱電変換体は、発熱機能と能動性冷却機能を備えている発色・消色兼用ヘッドを搭載するヘッド設置部と該ヘッドを制御する制御部を備えたことを特徴とする電子掲示装置にある。
【００１８】
本発明の更にもう一つの側面は、熱を加えると発色し、降温スピードの差に応じて該発色を維持・消色可能なリライタブル媒体に情報を電子掲示する電子掲示装置において、発熱抵抗体と、該発熱抵抗体に熱良伝導性体を介して一体的に接合されている熱電変換体とを有し、該熱電変換体は、発熱機能と能動性冷却機能を備えている発色・消色兼用ヘッドと、該ヘッドを制御する制御部とを備えたことを特徴とする電子掲示装置にある。
【発明の効果】
【００１９】
本発明によれば、小型・軽量・安価・簡便で、省エネでエコ適性もあって高耐久性に優れる電子掲示装置を容易に実現できる。
【００２０】
又、本発明によれば、簡単な操作によって、高速から低速までの印字スピードが実現可能な電子掲示装置を容易に実現できる。
【図面の簡単な説明】
【００２１】
【図１】本発明を説明するための電子掲示装置の記録兼消色部の主要部分の模式的説明図である。
【図２】（ａ）、（ｂ）、（ｃ）、及び（ｄ）は発色・消色用ヘッドの駆動タイミングの例を示す図である。
【図３】本発明の一実施態様に係る電子掲示装置の主要部を概略的に示す図である。
【図４】図３に示された主要部をより具体的に説明するブロック図である。
【発明を実施するための形態】
【００２２】
図１は、本発明を説明するための電子掲示装置の記録部の主要部分の模式的説明図である。
【００２３】
本発明の電子掲示装置の記録兼消色部の主要部１００は、発色・消色兼用ヘッド１０１と搬送ローラー１１２で構成される。
【００２４】
発色・消色兼用ヘッド１０１は、熱電変換体１０２とその上に熱良導体１０４を介して積層された発熱抵抗体１０３を備えている。
【００２５】
発熱抵抗体１０３には、電極１０５，１０６が設けてあり、制御信号により電極１０５，１０６を通じて電流がON-OFFされることで発熱抵抗体１０３は発熱・消熱を繰り返して情報の記録（印字／書き込み）を行う。
【００２６】
発熱抵抗体１０３の表面形状は、搬送ローラーとの間でリライタブルシート１１１を矜持する際に適度な線幅で線接触するように凸状にされている。このような形状とすることで、リライタブルシート１１１の所定位置（書き込み位置）に所定の熱量を瞬時に供給し且つ瞬時に熱量供給停止することが出来、鮮明な可視像を形成することが出来る。
【００２７】
発色・消色用ヘッド１０１は、その主要部が、熱電変換体１０２と発熱抵抗体１０３で構成されている。
【００２８】
熱電変換体１０２と発熱抵抗体１０３は、熱伝導性に優れた熱良導体１０４を介して密接に重畳されている。
【００２９】
熱電変換体１０２には、リード電極１０７，１０８が電気的に接続されてあり、リード電極１０７，１０８を介してＯＮ−OFF駆動される。
【００３０】
熱電変換体１０２は、所謂、ペルチェ効果を示すもので、リード電極１０７，１０８を介して電流を流すと、熱電変換体１０２中を流れるキャリアの流れの方向によって、面Ａ１０９、面Ｂ１１０において放熱と吸熱が起こる。
【００３１】
即ち、面Ａ１０９で放熱が起こると、面Ｂ１１０で吸熱が起こり、キャリアの流れの方向を逆にすると、面Ａ１０９で吸熱が起り、面Ｂ１１０で放熱が起る。
【００３２】
放熱と吸熱の程度は、熱電変換体１０２に流す電流の大小によって増減する。
【００３３】
本発明においては、発熱抵抗体１０３は上凸状の形状としてリライタブルシート１１１と線接触するようにしてあるが、熱電変換体１０２は、図示されてあるように面C１１３を有し、リライタブルシート１１１と所定の面積で対向することで、リライタブルシート１１１への熱効果の影響範囲を大きくし、消去モードでの消去の効果を確実にし、且つ消去を瞬時に行え得るようにしてある。
【００３４】
面C１１３の面積は、熱電変換体１０２と発熱抵抗体１０３の熱的性能に依存して決められるが、消去時間を可能な限り短縮できるように設計されるのが望ましい。
【００３５】
発熱抵抗体１０３は、所謂、通常のサーマルヘッドで使用されているものが採用される。
【００３６】
熱良導体１０４は、熱伝導性に優れた接着剤、ＳｉＣＮ（窒素含有シリコンカーバイト）等の熱伝導性に優れた薄膜、良熱伝導性のプラスチックシート、或いはこれらのハイブリッドタイプの材料で構成される。
【００３７】
熱良導体１０４は、熱電変換体１０２と発熱抵抗体１０３との間で起こり得るリーク電流を阻止するために電気絶縁性とするのが望ましい。
【００３８】
図１においては、熱電変換体１０２と発熱抵抗体１０３とを熱良導体１０４を介して一体的に積層した構造の例を示してあるが、この他、熱電変換体と発熱抵抗体とを熱良導体を介して適当な其体上に一体的に並置した構造としても良い。
【００３９】
この並置構造の場合、発熱抵抗体は、図１に示す発熱抵抗体１０３と同様に上部凸状形状とされるのがリライタブルシートとの線接触を確保できるので好都合である。熱電変換体は、リライタブルシートと接触する構成としても非接触の構成としても良いが、リライタブルシートに面対向するように所望の面積の対抗面を有するようにするのが好ましい。
【００４０】
以上の説明において、熱電変換体と発熱抵抗体は、少なくともリライタブルシートの幅（図１で示されるリライタブルシートの移動方向に垂直な方向）分の長さを有することは、断るまでもないことは明白である。
【００４１】
図２は、発色・消色用ヘッド１０１の駆動タイミングの好適な例を説明するための駆動タイミング図である。
【００４２】
図２には、４つの代表的な例が示される。
【００４３】
図２において、下が熱電変換体１０２の駆動タイミング、上が発熱抵抗体１０３の駆動タイミング、をそれぞれ示す。
【００４４】
図２の（a）は、発熱抵抗体１０３の駆動ＯＦＦと熱電変換体１０２の駆動ＯＮのタイミングが同時或いは実質同時である例を示す。
【００４５】
図２の（b）は、発熱抵抗体１０３の駆動ＯＦＦのタイミングに所定時間遅れて、熱電変換体１０２の駆動ＯＮのタイミングになっている例である。
【００４６】
図２の（ｃ）は、発熱抵抗体１０３の駆動ＯＦＦのタイミングに所定時間先行して、熱電変換体１０２の駆動ＯＮのタイミングになっている例である。
【００４７】
即ち、発熱抵抗体１０３の駆動ＯＮの時間と熱電変換体１０２の駆動ＯＮの時間が一部重畳している例である。
【００４８】
図２の（d）は、熱電変換体１０２の駆動ＯＮのタイミングと発熱抵抗体１０３の駆動ＯＮのタイミングが同時或いは実質同時で、熱電変換体１０２の駆動ＯＦＦのタイミングに所定時間先行して、発熱抵抗体１０３の駆動ＯＦＦのタイミングになっている例である。
【００４９】
図３は、本発明に係る好適な実施態様の一例の電子掲示装置の主要部の構成を説明するための模式構成図である。
【００５０】
図４は、図3に示す装置のブロック図である。
【００５１】
図３に於いて、図１に記載されたものと同じものには図１で使用している符号を付してある。
【００５２】
電子掲示装置の主要部３００は、ヘッド部１０１、リライタブルシート１１１、搬送ローラー１１２、画像読取りセンサー３０１で構成されている。
【００５３】
リライタブルシート１１１は、装置の上部に設けられた上部搬送ローラ（不図示）と搬送ローラー１１２とを循環軸として循環するように無端シートとされている。掲示情報は、循環し得るリライタブルシート１１１の図３の右側表面又は／及び図３の左側表面に書き込まれる。即ち、書き込み情報の掲示は、片面掲示と両面掲示のいずれでも選択できる。
【００５４】
画像読取りセンサー３０１は、リライタブルシート１１１に書き込まれた画像を読み取るためのものであると同時に、該画像の濃淡を検知するためにも使用され得る。
【００５５】
図４に於いて、図１、３に記載されものと同じものを指すものには、図１、３で使用している符号を付してある。
【００５６】
温度感知センサー４０２は、ヘッド部１０１の発熱抵抗体１０３の発熱位置付近の温度を必要に応じて検知するものである。
【００５７】
温度感知センサー４０２で検知された温度は、検知データとして、制御部４０５に転送される。
【００５８】
制御部（コントローラ）４０５には中央演算素子などのマイクロコンピュータ素子やメモリー素子、Ａ／Ｄ変換素子などが設けてある。
【００５９】
制御部４０５は、搬送ローラー駆動部４０３やヘッド駆動部４０４に制御信号を送り、搬送ローラー駆動部４０３やヘッド駆動部４０４により該当の駆動信号が出力されて、搬送ローラー１１２、ヘッド部１０１が所定の駆動条件で駆動される。駆動は、モータ（不図示）から減速ギヤなどの駆動力伝達手段を介して行われる。勿論、搬送ローラー１１２の回転軸とパルスモータなどの回転軸を一致させて、モータの回転力を搬送ローラー１１２に直に伝達させることもできる。
【００６０】
温度感知センサー４０２転送された検知データに基づいてヘッド部１０１は、制御部４０５によってヘッド駆動部４０４を介して制御され、発熱抵抗体１０３や熱電変換体１０２の発熱・吸熱の際の熱量が制御される。
【００６１】
画像読取りセンサー３０１は、リライタブルシート１１１に書き込まれた画像を読み取り、そのデータが制御部４０５に送られる。
【００６２】
制御部４０５は、そのデータに基づいて、リライタブルシート１１１に書き込まれた画像が適正な濃淡、鮮明度で書き込こまれているか、事前に設定されている適正な濃淡、鮮明度のデータと比較して自動判断することが出来る。
【００６３】
書き込み画像の濃淡又は／及び鮮明度が所望通りになっていない場合は、制御部４０５からヘッド駆動部４０４に画像消去用のデータ信号が送られ、その信号に基づいてヘッド部１０１にはヘッド駆動部４０４から画像消去用のデータ信号が送られる。
【００６４】
その結果、ヘッド部１０１は、消去モードで駆動され、リライタブルシート１１１に書き込まれた画像は消去される。
【００６５】
その上で、改めて、制御部４０５からヘッド駆動部４０４に画像記録用のデータ信号が送られ、その信号に基づいてヘッド部１０１にはヘッド駆動部４０４から画像記録用のデータ信号が送られる。
【００６６】
その結果、ヘッド部１０１は、記録モードで駆動され、リライタブルシート１１１に所望の濃淡、鮮明度で画像が再度書き込まれる。
【００６７】
又、画像読取りセンサー３０１が読み取ったリライタブルシート１１１に書き込まれた画像のデータを受け取った制御部４０５は、入力部４０１に付設されている表示パネル（不図示）に前記画像データに基づいた画像の濃淡、鮮明度を数値的に表示させることも出来る。
【００６８】
操作者は、この数値表示を読み取って、前記表示パネル上でタッチ操作により希望の画像の濃淡、鮮明度が得られるように数値入力することも出来る。
【００６９】
この操作者による前記表示パネル上からの入力に基づいて、制御部４０５は、訂正されたデータ信号をヘッド駆動部４０４に送り、ヘッド駆動部４０４はその信号に基づいた駆動信号をヘッド部１０１に送ることで、ヘッド部１０１が駆動されリライタブルシート１１１に新たな画像が書き込まれる。
【００７０】
又、図４に示される装置では、入力部（入力インターファース）４０１に設けられたタッチパネルの様な表示部を有する操作パネル上で操作して、記憶部４０６に予め記憶されている表示データ（文字列データ、画像データなど）を読み出し、該読み出したデータに基づいて制御部４０５によりヘッド駆動部４０４を介してヘッド部１０１を駆動し、文字列データ、画像データに基づいた文字列、画像などをリライタブルシート１１１に書込むこともできる。
【００７１】
表示データは、SDメモリーやUSBメモリーなどの記憶メディアに記憶させ、該記憶メディアをスロット部４０７に装着することで、上記と同様に扱うことが出来る。この場合は、記憶メディアを変えることで、種々の表示データを読み出して表示できるので便利である。
【００７２】
更に、通信入出力部（通信入出力インターフェース）４０８を介して、外部より無線・有線の通信手段で所望の表示データを受信し記憶部４０６に記憶させることもできる。
【００７３】
表示データとともに音楽・音声などの音データを記憶しておき、必要に応じて読みだしてスピーカー（不図示）から発信することもできる。
【００７４】
これらの表示データや音データは、装置に組み込まれた時計機能との連動で所定時刻に所定時間、表示若しくは音にして観察者（視認者）に知らせることが出来る。
【００７５】
本発明は、ホテル・旅館・結婚式場などの総合案内、大学・専門学校の掲示コーナー、或いは官公庁・病院・一般企業の待合室・オフィス・ショールームなどで用いるインフォーメイション・ディスプレーンなどに好適に適用される。
【００７６】
適用の際は、通信入出力部４０８を利用して、校内LAN、インターネット、通信回線に接続することで、遠隔操作や複数装置の同時操作・個別操作も可能とすることができる。或いは、PCと通信接続して、PCでコントロールしたりPC内のデータを掲示したりすることもできる。
【００７７】
更には、装置内の記憶部４０６にあるデータを他の装置に転送することもできる。
【符号の説明】
【００７８】
１００・・・記録兼消去部
１０１・・・ヘッド部
１０２・・・熱電変換体
１０３・・・発熱抵抗体
１０４・・・熱良導体
１０５，１０６，１０７，１０８・・・電極
１０９・・・面Ａ
１１０・・・面Ｂ
１１１・・・リライタブルシート
１１２・・・搬送ローラー
１１３・・・面Ｃ
３００・・・装置主要部
３０１・・・画像読取りセンサー
４０１・・・入力部
４０２・・・温度感知センサー
４０３・・・搬送ローラー駆動部
４０４・・・ヘッド駆動部
４０５・・・制御部
４０６・・・記憶部
４０７・・・スロット部
４０８・・・通信入出力部
【図１】
2015009516.tif 000003
【図２】
2015009516.tif 000004
【図３】
2015009516.tif 000005
【図４】
2015009516.tif 000006